(57)【要約】【課題】    複数の筆記具本体を収納する筆記具用ケースにおいては、壁によって仕切られ複数の挿入口を備えるものの方が、複数の筆記具本体を比較的きれいに整列出来るので好まれる。しかし、このような構造では仕切り壁によって剛性が高くなり過ぎる傾向があるので形状の自由度を奪われ、例えば布製の筆記具用ケースのような形状の自由度を得られない。また、筆記具本体の先端部を収納する蓋においては、紛失を防ぎ、且つ複数の筆記具本体を比較的きれいに整列する為に、蓋が並列に連結可能なものが求められている。しかし、連結部のサイズが大きくなると複数の筆記具本体を収納する収納具としてのサイズが大きくなるし、連結部のサイズを小さくすると移動時の衝撃等での連結部の破損が問題となる。【解決手段】  屈曲自在な一対の線状片（２３,２８）を備える輪状部材によって隣り合う筒状体（１,２）を連結する。【選択図】          図８
2008302597.tif 000002
【特許請求の範囲】
【請求項１】
一端部に内部への第１挿入口と、前記第１挿入口側から第１中心線方向に見た第１図において第１回転方向回りに順に第１外周部、第２外周部及び第３外周部と、を備える第１筒状体と、
一端部に前記第１挿入口に対して略同一方向に開いた内部への第２挿入口と、前記第２挿入口側から第２中心線方向に見た第２図において前記第１回転方向回りに順に第４外周部、第５外周部及び第６外周部と、を備え、前記第２外周部及び前記第５外周部が対向し前記第１筒状体に沿うように配置される第２筒状体と、
前記第１外周部及び前記第４外周部にそれぞれ一端部及び他端部が係合し張り渡される屈曲自在な第１線状片と、
前記第３外周部及び前記第６外周部にそれぞれ一端部及び他端部が係合し張り渡される屈曲自在な第２線状片と、
を具備し、
前記第１筒状体の内部に第１筆記具本体の一部又は全部を収納可能であり、且つ前記第２筒状体の内部に第２筆記具本体の一部又は全部を収納可能である、
筆記具収納具。
【請求項２】
前記第１外周部及び前記第４外周部にそれぞれ一端部及び他端部が係合し張り渡される屈曲自在な第３線状片を具備し、
前記第１図において、前記第１線状片及び前記第２線状片の第１交差部で前記第１線状片は前記第２線状片よりも前記第１挿入口に近い側を通り、且つ前記第２線状片及び前記第３線状片の第２交差部で前記第２線状片は前記第３線状片よりも前記第１挿入口に近い側を通る、
請求項１に記載の筆記具収納具。
【請求項３】
前記第３外周部及び前記第６外周部にそれぞれ一端部及び他端部が係合し張り渡される屈曲自在な第４線状片を具備する、
請求項２に記載の筆記具収納具。
【請求項４】
前記第２外周部及び前記第５外周部が係合する、
請求項１から請求項３のいずれかに記載の筆記具収納具。
【発明の詳細な説明】
【技術分野】
【０００１】
本発明は、筆記具を収納する収納具に関する。
【背景技術】
【０００２】
特許文献１のように、複数の棒状の筆記具本体を壁で仕切りながら並列に収納する筆記具用ケースのアイデアが知られている。
【０００３】
また、特許文献２のように、棒状の筆記具本体を収納する複数の筆記具用ケースを並列に連結可能なアイデアが知られている。
【０００４】
また、特許文献３のように、棒状の筆記具本体の先端部を収納する複数の蓋が並列に筆記具用ケースと一体に設けられるアイデアが知られている。
【０００５】
また、特許文献４のように、ペン立てとして利用可能な筆記具用ケースのアイデアが知られている。
【０００６】
【特許文献１】特開平０９−２２４７３１号公報
【特許文献２】特開２００２−０８５１２９号公報
【特許文献３】実登３０１６２８２号公報
【特許文献４】特開２００２−３２０５１３号公報
【発明の開示】
【発明が解決しようとする課題】
【０００７】
複数の筆記具本体を収納する筆記具用ケースにおいては、壁によって仕切られ複数の挿入口を備えるものの方が、複数の筆記具本体を比較的きれいに整列出来るので好まれる。しかし、このような構造では仕切り壁によって剛性が高くなり過ぎる傾向があるので形状の自由度を奪われ、例えば布製の筆記具用ケースのような形状の自由度を得られない。
また、筆記具本体の先端部を収納する蓋においては、紛失を防ぎ、且つ複数の筆記具本体を比較的きれいに整列する為に、蓋が並列に連結可能なものが求められている。しかし、連結部のサイズが大きくなると複数の筆記具本体を収納する収納具としてのサイズが大きくなるし、連結部のサイズを小さくすると移動時の衝撃等での連結部の破損が問題となる。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る筆記具収納具は、例えば図１及び２の組み、又は、図３及び４の組み、のように、
一端部に内部への挿入口７と、挿入口７側から中心線４方向に見た例えば図２又は４のような第１図において第１回転方向回りに順に外周部１１、１２及び１３と、を備える筒状体１と、
一端部に挿入口７に対して略同一方向に開いた内部への挿入口８と、挿入口８側から中心線５方向に見た例えば図２又は４のような第２図において前記第１回転方向回りに順に外周部１４、１５及び１６と、を備え、外周部１２及び１５が対向し筒状体１に沿うように配置される筒状体２と、
外周部１１及び１４にそれぞれ一端部２４及び他端部２５が係合し張り渡される屈曲自在な線状片２３と、
外周部１３及び１６にそれぞれ一端部２９及び他端部３０が係合し張り渡される屈曲自在な線状片２８と、
を具備し、
筒状体１の内部に第１筆記具本体の一部又は全部を収納可能であり、且つ筒状体２の内部に第２筆記具本体の一部又は全部を収納可能である、
筆記具収納具である。
【００１０】
ここで、筆記具とは鉛筆、芯を送り出すタイプの鉛筆、フェルトペン、万年筆、ボールペン、修正ペン、芯を送り出すタイプの消しゴム、化粧用のペン等であり、また収納具とは筆記具用ケース、筆記具本体先端部を収納する蓋、ペン立て等である。
【００１１】
発明２に係る筆記具収納具は、発明１の筆記具収納具において、例えば図１及び２の組み、又は、図３及び４の組み、のように、
外周部１１及び１４にそれぞれ一端部３４及び他端部３５が係合し張り渡される屈曲自在な線状片３３を具備し、
前記第１図において、線状片２３及び２８の第１交差部で線状片２３は線状片２８よりも挿入口７に近い側を通り、且つ線状片２８及び３３の第２交差部で線状片２８は線状片３３よりも挿入口７に近い側を通る、筆記具収納具である。
【００１２】
発明３に係る筆記具収納具は、発明２の筆記具収納具において、例えば図３及び４の組みのように、
外周部１３及び１６にそれぞれ一端部５５及び他端部５６が係合し張り渡される屈曲自在な線状片５４を具備する、筆記具収納具である。
【００１３】
発明４に係る筆記具収納具は、発明１から３のいずれかの筆記具収納具において、例えば図３及び４の組みのように、
外周部１２及び１５が係合する、筆記具収納具である。
【発明の効果】
【００１４】
以上のように本発明では、複数の挿入口を備える構造であっても筆記具収納具として比較的形状の自由度が高く、且つサイズが大きくなりにくいように複数の筒状体が並列に連結されるという、非常に良好な筆記具収納具が得られる。これによって、例えば筆記具収納具を机の上に立てて置く、寝かせて置く、鞄に入れて移動する、手で握り持ち移動する、文具店に陳列する、等の状況に合わせた形状に速やかに筆記具収納具を変形できるだろうし、また連結部材である線状片が屈曲自在であるので破損の問題も起きにくいだろう。
【００１５】
また、発明２では、本発明の効果に加えて、隣り合う筒状体の中心線の相対角度が変化しにくいような拘束力をシンプルな構造で得ることが出来る。
【００１６】
また、発明４では、本発明の効果に加えて、隣り合う筒状体の中心線の相対角度が変化しにくいような摩擦力を筒状体同士の係合部で得られ、且つ互いの外周部を転がるような相対回転の際は係合部で不要な摩擦力が発生しにくい良好な特性を得やすい。
【発明を実施するための最良の形態】
【００１７】
〔第１実施形態〕
図１及び２では、円筒形の樹脂製の筒状体１から３が僅かに隙間を設けて並列に並べられており、それぞれの中心線４から６は平行であり、それぞれの一端部の挿入口７から９は同一方向に開いており、それぞれの他端部３８から４０も開口端となっている。また、挿入口７から９よりそれぞれインクの色が異なるボールペンを挿入し、両端部が挿入口７から９及び他端部３８から４０より露出した状態で筒状体１から３に係止することが可能である。
【００１８】
また図２では、筒状体１の外周部１１から１３は反時計回りに順に並んでおり、また筒状体２の外周部１４から１６も反時計回りに順に並んでおり、また筒状体２の外周部１７から１９も反時計回りに順に並んでおり、また筒状体３の外周部２０から２２も反時計回りに順に並んでいる。
【００１９】
また、帯状の樹脂製の線状片２３の一端部２４は接続部４１で外周部１１に、他端部２５は接続部４２で外周部１４にそれぞれ熱溶着されている。また帯状の樹脂製の線状片２８の一端部２９は接続部４４で外周部１３に、他端部３０は接続部４５で外周部１６にそれぞれ熱溶着されている。また帯状の樹脂製の線状片３３の一端部３４は接続部４７で外周部１１に、他端部３５は接続部で外周部１４にそれぞれ熱溶着されている。
【００２０】
また、図１及び２の左図から右図に移行する際、筒状体１及び２の間に線状片２３、２８及び３３が挟まった状態で筒状体１が線状片２３、２８及び３３の上を転がるので滑らかな運動となる。
【００２１】
また、筒状体２及び３の連結構造は、上記のような筒状体１及び２の連結構造と鏡像関係にあるので、詳しい記載は省略する。
【００２２】
〔第２実施形態〕
図３及び４では、長方形の樹脂製の筒状体１及び２が外周部１２及び１５で係合して並列に並べられており、それぞれの中心線４及び５は平行であり、それぞれの一端部の挿入口７及び８は同一方向に開いており、それぞれの他端部３８及び３９は閉口端となっている。また、挿入口７及び８よりそれぞれ２本程度のボールペンを挿入することが可能であるので、折り畳み可能な筆記具用ケース又はペン立てとして良好な筒形状である。
【００２３】
また図４では、筒状体１の外周部１１から１３は反時計回りに順に並んでおり、また筒状体２の外周部１４から１６も反時計回りに順に並んでいる。
【００２４】
また、筒状体１には外周を１周するように溝状の案内形状５０及び５２が備えられており、また筒状体２にも外周を１周するように溝状の案内形状５１及び５３が備えられている。
また、糸状の樹脂製の線状片２３の一端部２４は案内形状５０内の外周部１１に、他端部２５は案内形状５１内の外周部１４にそれぞれ係合している。また糸状の樹脂製の線状片２８の一端部２９は案内形状５０内の外周部１３に、他端部３０は案内形状５１内の外周部１６にそれぞれ係合している。また一端部２４及び２９は一体に連結されており、また他端部２５及び３０も一体に連結されている。
また、糸状の樹脂製の線状片３３の一端部３４は案内形状５２内の外周部１１に、他端部３５は案内形状５３内の外周部１４にそれぞれ係合している。また糸状の樹脂製の線状片５４の一端部５５は案内形状５２内の外周部１３に、他端部５６は案内形状５３内の外周部１６にそれぞれ係合している。また一端部３４及び５５は一体に連結されており、他端部３５及び５６も一体に連結されている。
【００２５】
また、図３及び４の左図から右図に移行する際、筒状体１が筒状体２の外周を転がり、摩擦ロスの発生箇所がほとんど無いので滑らかな運動となる。
【００２６】
〔第３実施形態〕
図５及び６では、円筒形の樹脂製の筒状体１から３が僅かに隙間を設けて並列に並べられており、それぞれの中心線４から６は平行であり、それぞれの一端部の挿入口７から９は同一方向に開いており、それぞれの他端部３８から４０は閉口端となっている。また挿入口７から９よりそれぞれインクの色が異なるフェルトペンの先端部を挿入し係止することが可能であるので、蓋として良好な形状である。
【００２７】
また図６では、筒状体１の外周部１１から１３は反時計回りに順に並んでおり、また筒状体２の外周部１４から１６も反時計回りに順に並んでおり、また筒状体２の外周部１７から１９も反時計回りに順に並んでおり、また筒状体３の外周部２０から２２も反時計回りに順に並んでいる。
【００２８】
また、筒状体１には外周を１周するように溝状の案内形状５０及び５２が備えられており、また筒状体２にも外周を１周するように溝状の案内形状５１及び５３が備えられており、また筒状体３にも外周を１周するように溝状の案内形状５７及び５８が備えられている。
また、糸状の樹脂製の線状片２３の一端部２４は案内形状５０内の外周部１１に、他端部２５は案内形状５１内の外周部１４にそれぞれ係合している。また糸状の樹脂製の線状片２８の一端部２９は案内形状５０内の外周部１３に、他端部３０は案内形状５１内の外周部１６にそれぞれ係合している。また一端部２４及び２９は一体に連結されている。
【００２９】
また、図５及び６の左図から右図に移行する際、筒状体１が筒状体２の外周を転がり、摩擦ロスの発生箇所がほとんど無いので滑らかな運動となる。
【００３０】
また、筒状体２及び３の接続構造は、上記のような筒状体１及び２の連結構造と鏡像関係にあり、また、案内形状５２、５３及び５８における連結構造は案内形状５０、５１及び５７における連結構造と同一であるので、詳しい記載は省略する。
【００３１】
〔第４実施形態〕
第４実施形態は第３実施形態の小変更案であるので、変更箇所について記載する。
図７において、筒状体２及び３の連結構造は、筒状体１及び２の連結構造と鏡像関係に無く、他端部２５及び３０は一体に連結されている。また筒状体２には外周を１周するように溝状の案内形状５９及び６０が備えられており、案内形状５２及び５３、案内形状５７及び５９、案内形状５８及び６０における連結構造はいずれも案内形状５０及び５１における連結構造と同一である。
【００３２】
〔第５実施形態〕
第５実施形態は第３実施形態の小変更案であるので、変更箇所について記載する。
図８において、案内形状５０、５２、５７及び５８の溝幅が広げられており、図８の左図から右図に移行する際、案内形状５０、５２、５７及び５８それぞれに案内される線状片は溝幅方向に移動可能であり、図８の右図のような状態ではフェルトペンがつかみ易くなるので挿脱作業が良好になるだろう。
【００３３】
〔第６実施形態〕
第６実施形態は第３実施形態の小変更案であるので、変更箇所について記載する。
図９及び１０において、案内形状５０及び５２内外はそれぞれ中心線４を中心とする円形状及び多角形状であり、また案内形状５１及び５３内外はそれぞれ中心線５を中心とする円形状及び多角形状であり、また案内形状５７及び５８内外はそれぞれ中心線６を中心とする円形状及び多角形状である。図９及び１０の左図から右図に移行する途中に、多角形状の角が隣り合う筒状体の外周に係合する状態になり、隣り合う中心線の距離が伸びて、張り渡された線状片の張力が上昇するので、多角形状の辺同士が係合する図９及び１０のような状態に安定し易くなる。
【００３４】
〔第７実施形態〕
第７実施形態は第３実施形態の小変更案であるので、変更箇所について記載する。
図１１において、案内形状５０及び５２内外はそれぞれ中心線４を中心とする円形状及び平歯車形状であり、また案内形状５１及び５３内外はそれぞれ中心線５を中心とする円形状及び平歯車形状であり、また案内形状５７及び５８内外はそれぞれ中心線６を中心とする円形状及び平歯車形状である。図１１の左図において凹形状６１及び６６にそれぞれ凸形状６３及び６５が係合しており、また図１１の右図において凹形状６４及び６６にそれぞれ凸形状６２及び６５が係合しており、これら係合によって隣り合う筒状体の中心線の相対角度が変化しにくいような拘束力が得られるので、線状片の本数が少なくても良好に機能する。
【００３５】
〔その他の実施形態〕
第１から第７実施形態のいずれかにおいて筒状体の外周をテーパー状にしても良い。これによって隣り合う筒状体の中心線が平行ではない、略平行となるような構成が考えられる。
【００３６】
また、図１２は線状片２３及び２８の連結方法の例７０から７２と、線状片２３、２８及び３３の連結方法の例７３を表す模式図であり、例７０では一端部２４及び２９が連結され、他端部２５及び３０も連結されている。また例７１では一端部２４及び２９は筒状体１にそれぞれ連結され、他端部２５及び３０は連結されている。また例７２では一端部２４及び２９は筒状体１にそれぞれ連結され、他端部２５及び３０はそれぞれ筒状体２に連結されている。また例７３では一端部２４は筒状体１に連結され、他端部２５及び３０は連結され、一端部２９及び３４は連結され、他端部３５は筒状体２に連結されている。
これら例７０から７３を第１から第７実施形態のいずれかに適用し変更することが出来る。
【図面の簡単な説明】
【００３７】
【図１】第１実施形態の動作を二段階で表す斜視図
【図２】図１の挿入口７側から中心線４方向に見た図
【図３】第２実施形態の動作を二段階で表す斜視図
【図４】図３の挿入口７側から中心線４方向に見た断面図
【図５】第３実施形態の動作を二段階で表す斜視図
【図６】図５の挿入口７側から中心線４方向に見た断面図
【図７】第４実施形態の動作を二段階で表す斜視図
【図８】第５実施形態の動作を二段階で表す斜視図
【図９】第６実施形態の動作を二段階で表す斜視図
【図１０】図９の挿入口７側から中心線４方向に見た断面図
【図１１】第７実施形態の動作を二段階で表す挿入口７側から中心線４方向に見た断面図
【図１２】線状片の連結方法の例を表す挿入口７側から中心線４方向に見た模式図
【符号の説明】
【００３８】
１,２,３.                                           筒状体
４,５,６.                                           中心線
７,８,９.                                           挿入口
１１,１２,１３,１４,１５,１６,
１７,１８,１９,２０,２１,２２.      外周部
２３,２８,３３,５４.                       線状片
２４,２７,２９,３２,３４,３７,
５５.                                                 一端部
２５,２６,３０,３１,３５,３８,
３９,４０,５６.                                他端部
４１,４２,４３,４４,４５,４６,
４７,４９.                                        接続部
５０,５１,５２,５３,５７,５８,
５９,６０.                                        案内形状
６１,６４,６６.                                凹形状
６２,６３,６５.                                凸形状
７０,７１,７２,７３.                       例
【図１】
2008302597.tif 000003
【図２】
2008302597.tif 000004
【図３】
2008302597.tif 000005
【図４】
2008302597.tif 000006
【図５】
2008302597.tif 000007
【図６】
2008302597.tif 000008
【図７】
2008302597.tif 000009
【図８】
2008302597.tif 000010
【図９】
2008302597.tif 000011
【図１０】
2008302597.tif 000012
【図１１】
2008302597.tif 000013
【図１２】
2008302597.tif 000014
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
一端部に内部への第１挿入口と、外周に第１中心線を中心として第１回転方向回りに順に第１外周部、第２外周部及び第３外周部と、を備える第１筒状体と、
一端部に前記第１挿入口に対して略同一方向に開いた内部への第２挿入口と、外周に第２中心線を中心として前記第１回転方向回りに順に第４外周部、第５外周部及び第６外周部と、を備え、前記第２外周部及び前記第５外周部が対向し前記第１筒状体に沿うように配置される第２筒状体と、
前記第１外周部及び前記第４外周部にそれぞれ一端部及び他端部が張り渡される屈曲自在な第１線状片と、前記第３外周部及び前記第６外周部にそれぞれ一端部及び他端部が張り渡される屈曲自在な第２線状片と、を備え、前記第１線状片の一端部及び前記第２線状片の一端部が連結され、且つ前記第１線状片の他端部及び前記第２線状片の他端部が連結された状態の第１輪状部材と、
を具備し、
前記第１筒状体の内部に第１筆記具本体の一部又は全部を収納可能であり、且つ前記第２筒状体の内部に第２筆記具本体の一部又は全部を収納可能である、
筆記具収納具。
【請求項２】
前記第１外周部及び前記第４外周部にそれぞれ一端部及び他端部が張り渡される屈曲自在な第３線状片と、前記第３外周部及び前記第６外周部にそれぞれ一端部及び他端部が張り渡される屈曲自在な第４線状片と、を備え、前記第３線状片の一端部及び前記第４線状片の一端部が連結され、且つ前記第３線状片の他端部及び前記第４線状片の他端部が連結された状態の第２輪状部材を具備する、
請求項１に記載の筆記具収納具。
【請求項３】
前記第２外周部及び前記第５外周部が接触する、
請求項１から請求項２のいずれかに記載の筆記具収納具。
【手続補正２】
【補正対象書類名】明細書
【補正対象項目名】全文
【補正方法】変更
【補正の内容】
【発明の詳細な説明】
【技術分野】
【０００１】
本発明は、筆記具を収納する収納具に関する。
【背景技術】
【０００２】
特許文献１のように、複数の棒状の筆記具本体を壁で仕切りながら並列に収納する筆記具用ケースのアイデアが知られている。
【０００３】
また、特許文献２のように、棒状の筆記具本体を収納する複数の筆記具用ケースを並列に連結可能なアイデアが知られている。
【０００４】
また、特許文献３のように、棒状の筆記具本体の先端部を収納する複数の蓋が並列に筆記具用ケースと一体に設けられるアイデアが知られている。
【０００５】
また、特許文献４のように、ペン立てとして利用可能な筆記具用ケースのアイデアが知られている。
【０００６】
【特許文献１】特開平０９−２２４７３１号公報
【特許文献２】特開２００２−０８５１２９号公報
【特許文献３】実登３０１６２８２号公報
【特許文献４】特開２００２−３２０５１３号公報
【発明の開示】
【発明が解決しようとする課題】
【０００７】
複数の筆記具本体を収納する筆記具用ケースにおいては、壁によって仕切られ複数の挿入口を備えるものの方が、複数の筆記具本体を比較的きれいに整列出来るので好まれる。しかし、このような構造では仕切り壁によって剛性が高くなり過ぎる傾向があるので形状の自由度を奪われ、例えば布製の筆記具用ケースのような形状の自由度を得られない。
また、筆記具本体の先端部を収納する蓋においては、紛失を防ぎ、且つ複数の筆記具本体を比較的きれいに整列する為に、蓋が並列に連結可能なものが求められている。しかし、連結部のサイズが大きくなると複数の筆記具本体を収納する収納具としてのサイズが大きくなるし、連結部のサイズを小さくすると移動時の衝撃等での連結部の破損が問題となる。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る筆記具収納具は、例えば図１及び２の組みのように、
一端部に内部への挿入口７と、外周に中心線４を中心として第１回転方向回りに順に外周部１１、１２及び１３と、を備える筒状体１と、
一端部に挿入口７に対して略同一方向に開いた内部への挿入口８と、外周に中心線５を中心として前記第１回転方向回りに順に外周部１４、１５及び１６と、を備え、外周部１２及び外周部１５が対向し筒状体１に沿うように配置される筒状体２と、
外周部１１及び１４にそれぞれ一端部２４及び他端部２５が張り渡される屈曲自在な線状片２３と、外周部１３及び１６にそれぞれ一端部２９及び他端部３０が張り渡される屈曲自在な線状片２８と、を備え、線状片２３の一端部２４及び線状片２８の一端部２９が連結され、且つ線状片２３の他端部２５及び線状片２８の他端部３０が連結された状態の第１輪状部材と、
を具備し、
筒状体１の内部に第１筆記具本体の一部又は全部を収納可能であり、且つ筒状体２の内部に第２筆記具本体の一部又は全部を収納可能である、
筆記具収納具である。
【００１０】
ここで、筆記具とは鉛筆、芯を送り出すタイプの鉛筆、フェルトペン、万年筆、ボールペン、修正ペン、芯を送り出すタイプの消しゴム、化粧用のペン等であり、また収納具とは筆記具用ケース、筆記具本体先端部を収納する蓋、ペン立て等である。
【００１１】
発明２に係る筆記具収納具は、発明１の筆記具収納具において、例えば図１及び２の組みのように、
外周部１１及び１４にそれぞれ一端部３４及び他端部３５が張り渡される屈曲自在な線状片３３と、外周部１３及び１６にそれぞれ一端部５５及び他端部５６が張り渡される屈曲自在な線状片５４と、を備え、線状片３３の一端部３４及び線状片５４の一端部５５が連結され、且つ線状片３３の他端部３５及び線状片５４の他端部５６が連結された状態の第２輪状部材を具備する、
筆記具収納具である。
【００１２】
発明３に係る筆記具収納具は、発明１から２のいずれかの筆記具収納具において、例えば図１及び２の組みのように、
外周部１２及び１５が接触する、筆記具収納具である。
【発明の効果】
【００１３】
以上のように本発明では、複数の挿入口を備える構造であっても筆記具収納具として比較的形状の自由度が高く、且つサイズが大きくなりにくいように複数の筒状体が並列に連結されるという、非常に良好な筆記具収納具が得られる。これによって、例えば筆記具収納具を机の上に立てて置く、寝かせて置く、鞄に入れて移動する、手で握り持ち移動する、文具店に陳列する、等の状況に合わせた形状に速やかに筆記具収納具を変形できるだろうし、また連結部材である線状片が屈曲自在であるので破損の問題も起きにくいだろう。
【００１４】
また、発明２では、本発明の効果に加えて、隣り合う筒状体の中心線の相対角度が変化しにくいような拘束力をシンプルな構造で得ることが出来る。
【００１５】
また、発明３では、本発明の効果に加えて、隣り合う筒状体の中心線の相対角度が変化しにくいような摩擦力を筒状体同士の接触部で得られ、且つ互いの外周部を転がるような相対回転の際は接触部で不要な摩擦力が発生しにくい良好な特性を得やすい。
【発明を実施するための最良の形態】
【００１６】
〔第１実施形態〕
図１及び２では、長方形の樹脂製の筒状体１及び２が外周部１２及び１５で接触して並列に並べられており、それぞれの中心線４及び５は平行であり、それぞれの一端部の挿入口７及び８は同一方向に開いており、それぞれの他端部３８及び３９は閉口端となっている。また、挿入口７及び８よりそれぞれ２本程度のボールペンを挿入することが可能であるので、折り畳み可能な筆記具用ケース又はペン立てとして良好な筒形状である。
【００１７】
また図２では、筒状体１の外周部１１から１３は反時計回りに順に並んでおり、また筒状体２の外周部１４から１６も反時計回りに順に並んでいる。
【００１８】
また、筒状体１には外周を１周するように溝状の案内形状５０及び５２が備えられており、また筒状体２にも外周を１周するように溝状の案内形状５１及び５３が備えられている。
また、糸状の樹脂製の線状片２３の一端部２４は案内形状５０内の外周部１１に、他端部２５は案内形状５１内の外周部１４にそれぞれ接触している。また糸状の樹脂製の線状片２８の一端部２９は案内形状５０内の外周部１３に、他端部３０は案内形状５１内の外周部１６にそれぞれ接触している。また一端部２４及び２９は一体に連結されており、また他端部２５及び３０も一体に連結されている。
また、糸状の樹脂製の線状片３３の一端部３４は案内形状５２内の外周部１１に、他端部３５は案内形状５３内の外周部１４にそれぞれ接触している。また糸状の樹脂製の線状片５４の一端部５５は案内形状５２内の外周部１３に、他端部５６は案内形状５３内の外周部１６にそれぞれ接触している。また一端部３４及び５５は一体に連結されており、他端部３５及び５６も一体に連結されている。
【００１９】
また、図１及び２の左図から右図に移行する際、筒状体１が筒状体２の外周を転がり、摩擦ロスの発生箇所がほとんど無いので滑らかな運動となる。
【００２０】
〔第２実施形態〕
図３及び４では、円筒形の樹脂製の筒状体１から３が僅かに隙間を設けて並列に並べられており、それぞれの中心線４から６は平行であり、それぞれの一端部の挿入口７から９は同一方向に開いており、それぞれの他端部３８から４０は閉口端となっている。また挿入口７から９よりそれぞれインクの色が異なるフェルトペンの先端部を挿入し係止することが可能であるので、蓋として良好な形状である。
【００２１】
また図４では、筒状体１の外周部１１から１３は反時計回りに順に並んでおり、また筒状体２の外周部１４から１６も反時計回りに順に並んでおり、また筒状体２の外周部１７から１９も反時計回りに順に並んでおり、また筒状体３の外周部２０から２２も反時計回りに順に並んでいる。
【００２２】
また、筒状体１には外周を１周するように溝状の案内形状５０及び５２が備えられており、また筒状体２にも外周を１周するように溝状の案内形状５１及び５３が備えられており、また筒状体３にも外周を１周するように溝状の案内形状５７及び５８が備えられている。
また、糸状の樹脂製の線状片２３の一端部２４は案内形状５０内の外周部１１に、他端部２５は案内形状５１内の外周部１４にそれぞれ接触している。また糸状の樹脂製の線状片２８の一端部２９は案内形状５０内の外周部１３に、他端部３０は案内形状５１内の外周部１６にそれぞれ接触している。また一端部２４及び２９は一体に連結されている。
【００２３】
また、図３及び４の左図から右図に移行する際、筒状体１が筒状体２の外周を転がり、摩擦ロスの発生箇所がほとんど無いので滑らかな運動となる。
【００２４】
また、筒状体２及び３の接続構造は、上記のような筒状体１及び２の連結構造と鏡像関係にあり、また、案内形状５２、５３及び５８における連結構造は案内形状５０、５１及び５７における連結構造と同一であるので、詳しい記載は省略する。
【００２５】
〔第３実施形態〕
第３実施形態は第２実施形態の小変更案であるので、変更箇所について記載する。
図５において、筒状体２及び３の連結構造は、筒状体１及び２の連結構造と鏡像関係に無く、他端部２５及び３０は一体に連結されている。また筒状体２には外周を１周するように溝状の案内形状５９及び６０が備えられており、案内形状５２及び５３、案内形状５７及び５９、案内形状５８及び６０における連結構造はいずれも案内形状５０及び５１における連結構造と同一である。
【００２６】
〔第４実施形態〕
第４実施形態は第２実施形態の小変更案であるので、変更箇所について記載する。
図６において、案内形状５０、５２、５７及び５８の溝幅が広げられており、図６の左図から右図に移行する際、案内形状５０、５２、５７及び５８それぞれに案内される線状片は溝幅方向に移動可能であり、図６の右図のような状態ではフェルトペンがつかみ易くなるので挿脱作業が良好になるだろう。
【００２７】
〔第５実施形態〕
第５実施形態は第２実施形態の小変更案であるので、変更箇所について記載する。
図７及び８において、案内形状５０及び５２内外はそれぞれ中心線４を中心とする円形状及び多角形状であり、また案内形状５１及び５３内外はそれぞれ中心線５を中心とする円形状及び多角形状であり、また案内形状５７及び５８内外はそれぞれ中心線６を中心とする円形状及び多角形状である。図７及び８の左図から右図に移行する途中に、多角形状の角が隣り合う筒状体の外周に接触する状態になり、隣り合う中心線の距離が伸びて、張り渡された線状片の張力が上昇するので、多角形状の辺同士が接触する図７及び８のような状態に安定し易くなる。
【００２８】
〔第６実施形態〕
第６実施形態は第２実施形態の小変更案であるので、変更箇所について記載する。
図９において、案内形状５０及び５２内外はそれぞれ中心線４を中心とする円形状及び平歯車形状であり、また案内形状５１及び５３内外はそれぞれ中心線５を中心とする円形状及び平歯車形状であり、また案内形状５７及び５８内外はそれぞれ中心線６を中心とする円形状及び平歯車形状である。図９の左図において凹形状６１及び６６にそれぞれ凸形状６３及び６５が係合しており、また図９の右図において凹形状６４及び６６にそれぞれ凸形状６２及び６５が係合しており、これら係合によって隣り合う筒状体の中心線の相対角度が変化しにくいような拘束力が得られるので、線状片の本数が少なくても良好に機能する。
【００２９】
〔その他の実施形態〕
第１から第６実施形態のいずれかにおいて筒状体の外周をテーパー状にしても良い。これによって隣り合う筒状体の中心線が平行ではない、略平行となるような構成が考えられる。
【図面の簡単な説明】
【００３０】
【図１】第１実施形態の動作を二段階で表す斜視図
【図２】図１の挿入口７側から中心線４方向に見た断面図
【図３】第２実施形態の動作を二段階で表す斜視図
【図４】図３の挿入口７側から中心線４方向に見た断面図
【図５】第３実施形態の動作を二段階で表す斜視図
【図６】第４実施形態の動作を二段階で表す斜視図
【図７】第５実施形態の動作を二段階で表す斜視図
【図８】図７の挿入口７側から中心線４方向に見た断面図
【図９】第６実施形態の動作を二段階で表す挿入口７側から中心線４方向に見た断面図
【符号の説明】
【００３１】
１,２,３.                                           筒状体
４,５,６.                                           中心線
７,８,９.                                           挿入口
１１,１２,１３,１４,１５,１６,
１７,１８,１９,２０,２１,２２.      外周部
２３,２８,３３,５４.                       線状片
２４,２７,２９,３２,３４,５５.      一端部
２５,２６,３０,３１,３５,３８,
３９,４０,５６.                                他端部
５０,５１,５２,５３,５７,５８,
５９,６０.                                        案内形状
６１,６４,６６.                                凹形状
６２,６３,６５.                                凸形状
【手続補正３】
【補正対象書類名】図面
【補正対象項目名】全図
【補正方法】変更
【補正の内容】
【図１】
2008302597.tif 000015
【図２】
2008302597.tif 000016
【図３】
2008302597.tif 000017
【図４】
2008302597.tif 000018
【図５】
2008302597.tif 000019
【図６】
2008302597.tif 000020
【図７】
2008302597.tif 000021
【図８】
2008302597.tif 000022
【図９】
2008302597.tif 000023
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
一端部に内部への第１挿入口と、外周に第１中心線を中心として第１回転方向回りに順に第１外周部、第２外周部及び第３外周部と、を備える第１筒状体と、
一端部に前記第１挿入口に対して略同一方向に開いた内部への第２挿入口と、外周に第２中心線を中心として前記第１回転方向回りに順に第４外周部、第５外周部及び第６外周部と、を備え、前記第２外周部及び前記第５外周部が対向し前記第１筒状体に沿うように配置される第２筒状体と、
前記第１外周部及び前記第４外周部にそれぞれ一端部及び他端部が張り渡される屈曲自在な第１線状片と、前記第３外周部及び前記第６外周部にそれぞれ一端部及び他端部が張り渡される屈曲自在な第２線状片と、を備え、前記第１線状片の一端部及び前記第２線状片の一端部が連結され、且つ前記第１線状片の他端部及び前記第２線状片の他端部が連結された状態の第１輪状部材と、
を具備し、
前記第１筒状体の内部に第１筆記具本体の一部又は全部を収納可能であり、且つ前記第２筒状体の内部に第２筆記具本体の一部又は全部を収納可能である、
筆記具収納具。
【請求項２】
前記第１外周部及び前記第４外周部にそれぞれ一端部及び他端部が張り渡される屈曲自在な第３線状片と、前記第３外周部及び前記第６外周部にそれぞれ一端部及び他端部が張り渡される屈曲自在な第４線状片と、を備え、前記第３線状片の一端部及び前記第４線状片の一端部が連結され、且つ前記第３線状片の他端部及び前記第４線状片の他端部が連結された状態の第２輪状部材を新たに具備する、
請求項１に記載の筆記具収納具。
【請求項３】
前記第２外周部及び前記第５外周部が接触する、
請求項１から請求項２のいずれかに記載の筆記具収納具。
【手続補正２】
【補正対象書類名】明細書
【補正対象項目名】全文
【補正方法】変更
【補正の内容】
【発明の詳細な説明】
【技術分野】
【０００１】
本発明は、筆記具を収納する収納具に関する。
【背景技術】
【０００２】
特許文献１のように、複数の棒状の筆記具本体を壁で仕切りながら並列に収納する筆記具用ケースのアイデアが知られている。
【０００３】
また、特許文献２のように、棒状の筆記具本体を収納する複数の筆記具用ケースを並列に連結可能なアイデアが知られている。
【０００４】
また、特許文献３のように、棒状の筆記具本体の先端部を収納する複数の蓋が並列に筆記具用ケースと一体に設けられるアイデアが知られている。
【０００５】
また、特許文献４のように、ペン立てとして利用可能な筆記具用ケースのアイデアが知られている。
【０００６】
【特許文献１】特開平０９−２２４７３１号公報
【特許文献２】特開２００２−０８５１２９号公報
【特許文献３】実登３０１６２８２号公報
【特許文献４】特開２００２−３２０５１３号公報
【発明の開示】
【発明が解決しようとする課題】
【０００７】
複数の筆記具本体を収納する筆記具用ケースにおいては、壁によって仕切られ複数の挿入口を備えるものの方が、複数の筆記具本体を比較的きれいに整列出来るので好まれる。しかし、このような構造では仕切り壁によって剛性が高くなり過ぎる傾向があるので形状の自由度を奪われ、例えば布製の筆記具用ケースのような形状の自由度を得られない。
また、筆記具本体の先端部を収納する蓋においては、紛失を防ぎ、且つ複数の筆記具本体を比較的きれいに整列する為に、蓋が並列に連結可能なものが求められている。しかし、連結部のサイズが大きくなると複数の筆記具本体を収納する収納具としてのサイズが大きくなるし、連結部のサイズを小さくすると移動時の衝撃等での連結部の破損が問題となる。
【課題を解決するための手段】
【０００８】
本発明の実施形態図等を用いて以下に説明するが、これは本発明の内容をより把握しやすいようにする為で、添付の特許請求の範囲を縮小するものではない。
【０００９】
発明１に係る筆記具収納具は、例えば図１及び２の組みのように、
一端部に内部への挿入口７と、外周に中心線４を中心として第１回転方向回りに順に外周部１１、１２及び１３と、を備える筒状体１と、
一端部に挿入口７に対して略同一方向に開いた内部への挿入口８と、外周に中心線５を中心として前記第１回転方向回りに順に外周部１４、１５及び１６と、を備え、外周部１２及び外周部１５が対向し筒状体１に沿うように配置される筒状体２と、
外周部１１及び１４にそれぞれ一端部２４及び他端部２５が張り渡される屈曲自在な線状片２３と、外周部１３及び１６にそれぞれ一端部２９及び他端部３０が張り渡される屈曲自在な線状片２８と、を備え、線状片２３の一端部２４及び線状片２８の一端部２９が連結され、且つ線状片２３の他端部２５及び線状片２８の他端部３０が連結された状態の第１輪状部材と、
を具備し、
筒状体１の内部に第１筆記具本体の一部又は全部を収納可能であり、且つ筒状体２の内部に第２筆記具本体の一部又は全部を収納可能である、
筆記具収納具である。
【００１０】
ここで、筆記具とは鉛筆、芯を送り出すタイプの鉛筆、フェルトペン、万年筆、ボールペン、修正ペン、芯を送り出すタイプの消しゴム、化粧用のペン等であり、また収納具とは筆記具用ケース、筆記具本体先端部を収納する蓋、ペン立て等である。
【００１１】
発明２に係る筆記具収納具は、発明１の筆記具収納具において、例えば図１及び２の組みのように、
外周部１１及び１４にそれぞれ一端部３４及び他端部３５が張り渡される屈曲自在な線状片３３と、外周部１３及び１６にそれぞれ一端部５５及び他端部５６が張り渡される屈曲自在な線状片５４と、を備え、線状片３３の一端部３４及び線状片５４の一端部５５が連結され、且つ線状片３３の他端部３５及び線状片５４の他端部５６が連結された状態の第２輪状部材を新たに具備する、
筆記具収納具である。
【００１２】
発明３に係る筆記具収納具は、発明１から２のいずれかの筆記具収納具において、例えば図１及び２の組みのように、
外周部１２及び１５が接触する、筆記具収納具である。
【発明の効果】
【００１３】
以上のように本発明では、複数の挿入口を備える構造であっても筆記具収納具として比較的形状の自由度が高く、且つサイズが大きくなりにくいように複数の筒状体が並列に連結されるという、非常に良好な筆記具収納具が得られる。これによって、例えば筆記具収納具を机の上に立てて置く、寝かせて置く、鞄に入れて移動する、手で握り持ち移動する、文具店に陳列する、等の状況に合わせた形状に速やかに筆記具収納具を変形できるだろうし、また連結部材である線状片が屈曲自在であるので破損の問題も起きにくいだろう。
【００１４】
また、発明２では、本発明の効果に加えて、隣り合う筒状体の中心線の相対角度が変化しにくいような拘束力をシンプルな構造で得ることが出来る。
【００１５】
また、発明３では、本発明の効果に加えて、隣り合う筒状体の中心線の相対角度が変化しにくいような摩擦力を筒状体同士の接触部で得られ、且つ互いの外周部を転がるような相対回転の際は接触部で不要な摩擦力が発生しにくい良好な特性を得やすい。
【発明を実施するための最良の形態】
【００１６】
〔第１実施形態〕
図１及び２では、長方形の樹脂製の筒状体１及び２が外周部１２及び１５で接触して並列に並べられており、それぞれの中心線４及び５は平行であり、それぞれの一端部の挿入口７及び８は同一方向に開いており、それぞれの他端部３８及び３９は閉口端となっている。また、挿入口７及び８よりそれぞれ２本程度のボールペンを挿入することが可能であるので、折り畳み可能な筆記具用ケース又はペン立てとして良好な筒形状である。
【００１７】
また図２では、筒状体１の外周部１１から１３は反時計回りに順に並んでおり、また筒状体２の外周部１４から１６も反時計回りに順に並んでいる。
【００１８】
また、筒状体１には外周を１周するように溝状の案内形状５０及び５２が備えられており、また筒状体２にも外周を１周するように溝状の案内形状５１及び５３が備えられている。
また、糸状の樹脂製の線状片２３の一端部２４は案内形状５０内の外周部１１に、他端部２５は案内形状５１内の外周部１４にそれぞれ接触している。また糸状の樹脂製の線状片２８の一端部２９は案内形状５０内の外周部１３に、他端部３０は案内形状５１内の外周部１６にそれぞれ接触している。また一端部２４及び２９は一体に連結されており、また他端部２５及び３０も一体に連結されている。
また、糸状の樹脂製の線状片３３の一端部３４は案内形状５２内の外周部１１に、他端部３５は案内形状５３内の外周部１４にそれぞれ接触している。また糸状の樹脂製の線状片５４の一端部５５は案内形状５２内の外周部１３に、他端部５６は案内形状５３内の外周部１６にそれぞれ接触している。また一端部３４及び５５は一体に連結されており、他端部３５及び５６も一体に連結されている。
【００１９】
また、図１及び２の左図から右図に移行する際、筒状体１が筒状体２の外周を転がり、摩擦ロスの発生箇所がほとんど無いので滑らかな運動となる。
【００２０】
〔第２実施形態〕
図３及び４では、円筒形の樹脂製の筒状体１から３が僅かに隙間を設けて並列に並べられており、それぞれの中心線４から６は平行であり、それぞれの一端部の挿入口７から９は同一方向に開いており、それぞれの他端部３８から４０は閉口端となっている。また挿入口７から９よりそれぞれインクの色が異なるフェルトペンの先端部を挿入し係止することが可能であるので、蓋として良好な形状である。
【００２１】
また図４では、筒状体１の外周部１１から１３は反時計回りに順に並んでおり、また筒状体２の外周部１４から１６も反時計回りに順に並んでおり、また筒状体２の外周部１７から１９も反時計回りに順に並んでおり、また筒状体３の外周部２０から２２も反時計回りに順に並んでいる。
【００２２】
また、筒状体１には外周を１周するように溝状の案内形状５０及び５２が備えられており、また筒状体２にも外周を１周するように溝状の案内形状５１及び５３が備えられており、また筒状体３にも外周を１周するように溝状の案内形状５７及び５８が備えられている。
また、糸状の樹脂製の線状片２３の一端部２４は案内形状５０内の外周部１１に、他端部２５は案内形状５１内の外周部１４にそれぞれ接触している。また糸状の樹脂製の線状片２８の一端部２９は案内形状５０内の外周部１３に、他端部３０は案内形状５１内の外周部１６にそれぞれ接触している。また一端部２４及び２９は一体に連結されている。
【００２３】
また、図３及び４の左図から右図に移行する際、筒状体１が筒状体２の外周を転がり、摩擦ロスの発生箇所がほとんど無いので滑らかな運動となる。
【００２４】
また、筒状体２及び３の接続構造は、上記のような筒状体１及び２の連結構造と鏡像関係にあり、また、案内形状５２、５３及び５８における連結構造は案内形状５０、５１及び５７における連結構造と同一であるので、詳しい記載は省略する。
【００２５】
〔第３実施形態〕
第３実施形態は第２実施形態の小変更案であるので、変更箇所について記載する。
図５において、筒状体２及び３の連結構造は、筒状体１及び２の連結構造と鏡像関係に無く、他端部２５及び３０は一体に連結されている。また筒状体２には外周を１周するように溝状の案内形状５９及び６０が備えられており、案内形状５２及び５３、案内形状５７及び５９、案内形状５８及び６０における連結構造はいずれも案内形状５０及び５１における連結構造と同一である。
【００２６】
〔第４実施形態〕
第４実施形態は第２実施形態の小変更案であるので、変更箇所について記載する。
図６において、案内形状５０、５２、５７及び５８の溝幅が広げられており、図６の左図から右図に移行する際、案内形状５０、５２、５７及び５８それぞれに案内される線状片は溝幅方向に移動可能であり、図６の右図のような状態ではフェルトペンがつかみ易くなるので挿脱作業が良好になるだろう。
【００２７】
〔第５実施形態〕
第５実施形態は第２実施形態の小変更案であるので、変更箇所について記載する。
図７及び８において、案内形状５０及び５２内外はそれぞれ中心線４を中心とする円形状及び多角形状であり、また案内形状５１及び５３内外はそれぞれ中心線５を中心とする円形状及び多角形状であり、また案内形状５７及び５８内外はそれぞれ中心線６を中心とする円形状及び多角形状である。図７及び８の左図から右図に移行する途中に、多角形状の角が隣り合う筒状体の外周に接触する状態になり、隣り合う中心線の距離が伸びて、張り渡された線状片の張力が上昇するので、多角形状の辺同士が接触する図７及び８のような状態に安定し易くなる。
【００２８】
〔第６実施形態〕
第６実施形態は第２実施形態の小変更案であるので、変更箇所について記載する。
図９において、案内形状５０及び５２内外はそれぞれ中心線４を中心とする円形状及び平歯車形状であり、また案内形状５１及び５３内外はそれぞれ中心線５を中心とする円形状及び平歯車形状であり、また案内形状５７及び５８内外はそれぞれ中心線６を中心とする円形状及び平歯車形状である。図９の左図において凹形状６１及び６６にそれぞれ凸形状６３及び６５が係合しており、また図９の右図において凹形状６４及び６６にそれぞれ凸形状６２及び６５が係合しており、これら係合によって隣り合う筒状体の中心線の相対角度が変化しにくいような拘束力が得られるので、線状片の本数が少なくても良好に機能する。
【００２９】
〔その他の実施形態〕
第１から第６実施形態のいずれかにおいて筒状体の外周をテーパー状にしても良い。これによって隣り合う筒状体の中心線が平行ではない、略平行となるような構成が考えられる。
【図面の簡単な説明】
【００３０】
【図１】第１実施形態の動作を二段階で表す斜視図
【図２】図１の挿入口７側から中心線４方向に見た断面図
【図３】第２実施形態の動作を二段階で表す斜視図
【図４】図３の挿入口７側から中心線４方向に見た断面図
【図５】第３実施形態の動作を二段階で表す斜視図
【図６】第４実施形態の動作を二段階で表す斜視図
【図７】第５実施形態の動作を二段階で表す斜視図
【図８】図７の挿入口７側から中心線４方向に見た断面図
【図９】第６実施形態の動作を二段階で表す挿入口７側から中心線４方向に見た断面図
【符号の説明】
【００３１】
１,２,３.                                           筒状体
４,５,６.                                           中心線
７,８,９.                                           挿入口
１１,１２,１３,１４,１５,１６,
１７,１８,１９,２０,２１,２２.      外周部
２３,２８,３３,５４.                       線状片
２４,２７,２９,３２,３４,５５.      一端部
２５,２６,３０,３１,３５,３８,
３９,４０,５６.                                他端部
５０,５１,５２,５３,５７,５８,
５９,６０.                                        案内形状
６１,６４,６６.                                凹形状
６２,６３,６５.                                凸形状